(57)【要約】【課題】ギャップ切り換え動作の際の衝撃を抑制する。【解決手段】プリンター１０は、記録ヘッドを備えて媒体搬送方向と交差する方向に移動可能なキャリッジと、記録ヘッドと対向可能な位置に設けられた媒体支持部材と、キャリッジに設けられた軸受部を貫通し、移動方向に延びるガイド軸と、記録ヘッドと媒体支持部材との間のギャップを切り換えるギャップ切り換え手段とを備え、ギャップ切り換え手段は、ガイド軸の中心位置から外周までの距離が円周方向に沿って変化する形状を有するカムと、カムを支持するカム支持部とを備え、カムを回転させることにより、ギャップを切り換える構成を有し、カムの外周面には、ギャップ維持領域と、ギャップ変化領域と、が円周方向に沿って設けられ、ギャップ変化領域がカム支持部と接する際の回転抵抗が、ギャップ維持領域がカム支持部と接する際の回転抵抗より大きい。【選択図】図７
2017209924.tif 000002
【特許請求の範囲】
【請求項１】
媒体に記録を行う記録ヘッドを備えるとともに媒体搬送方向と交差する方向に移動可能なキャリッジと、
前記記録ヘッドと対向可能な位置に設けられ、媒体を支持する媒体支持部材と、
前記キャリッジに設けられた軸受部を貫通し、前記キャリッジを前記キャリッジの移動方向にガイドする、前記移動方向に延びるガイド軸と、
前記記録ヘッドと前記媒体支持部材との間のギャップを切り換えるギャップ切り換え手段と、を備え、
前記ギャップ切り換え手段は、前記ガイド軸に設けられ、前記ガイド軸の軸中心位置から外周までの距離が円周方向に沿って変化する形状を有するカムと、
前記カムを支持するカム支持部と、を備え、
前記カムを回転させることにより、前記記録ヘッドと前記媒体支持部材との間のギャップを切り換える構成を有し、
前記カムの外周面には、前記ギャップを維持するギャップ維持領域と、前記ギャップを変化させるギャップ変化領域と、が円周方向に沿って設けられ、
前記ギャップ変化領域が前記カム支持部と接する際の前記ガイド軸の回転抵抗が、前記ギャップ維持領域が前記カム支持部と接する際の前記ガイド軸の回転抵抗より大きい、
ことを特徴とする記録装置。
【請求項２】
媒体に記録を行う記録ヘッドを備えるとともに媒体搬送方向と交差する方向に移動可能なキャリッジと、
前記記録ヘッドと対向可能な位置に設けられ、媒体を支持する媒体支持部材と、
前記キャリッジに設けられた軸受部を貫通し、前記キャリッジを前記キャリッジの移動方向にガイドする、前記移動方向に延びるガイド軸と、
前記記録ヘッドと前記媒体支持部材との間のギャップを切り換えるギャップ切り換え手段と、を備え、
前記ギャップ切り換え手段は、前記ガイド軸に設けられ、前記ガイド軸の軸中心位置から外周までの距離が円周方向に沿って変化する形状を有するカムと、
前記カムを支持するカム支持部と、を備え、
前記カムを回転させることにより、前記記録ヘッドと前記媒体支持部材との間のギャップを切り換える構成を有し、
前記カムの外周面には、前記ギャップを維持するギャップ維持領域と、前記ギャップを変化させるギャップ変化領域と、が円周方向に沿って交互に複数設けられ、
複数の前記ギャップ変化領域のうち前記ギャップの変化量が最も大きいギャップ変化領域である最大ギャップ変化領域が前記カム支持部と接する際の前記ガイド軸の回転抵抗が、他のギャップ変化領域が前記カム支持部と接する際の前記ガイド軸の回転抵抗より大きい、
ことを特徴とする記録装置。
【請求項３】
請求項２に記載の記録装置において、前記最大ギャップ変化領域と前記カム支持部との間の摩擦力が、他のギャップ変化領域と前記カム支持部との間の摩擦力より大きく設定されたことにより、前記最大ギャップ変化領域が前記カム支持部と接する際の前記ガイド軸の回転抵抗を大きくする、
ことを特徴とする記録装置。
【請求項４】
請求項３に記載の記録装置において、前記カムが２色成形により形成されたことにより、前記最大ギャップ変化領域が他のギャップ変化領域とは異なる材質で形成されている、
ことを特徴とする記録装置。
【請求項５】
請求項２から請求項４のいずれか一項に記載の記録装置において、前記最大ギャップ変化領域は、前記ギャップを最も大きくする前記ギャップ維持領域と、前記ギャップを最も小さくする前記ギャップ維持領域と、の間に形成されている、
ことを特徴とする記録装置。
【請求項６】
媒体に記録を行う記録ヘッドを備えるとともに媒体搬送方向と交差する方向に移動可能なキャリッジと、
前記記録ヘッドと対向可能な位置に設けられ、媒体を支持する媒体支持部材と、
前記キャリッジに設けられた軸受部を貫通し、前記キャリッジを前記キャリッジの移動方向にガイドする、前記移動方向に延びるガイド軸と、
前記記録ヘッドと前記媒体支持部材との間のギャップを切り換えるギャップ切り換え手段と、を備え、
前記ギャップ切り換え手段は、前記ガイド軸に設けられ、前記ガイド軸の軸中心位置から外周までの距離が円周方向に沿って変化する形状を有するカムと、
前記カムを支持するカム支持部と、を備え、
前記カムを回転させることにより、前記記録ヘッドと前記媒体支持部材との間のギャップを切り換える構成を有し、
前記カムの外周面には、前記ギャップを維持するギャップ維持領域と、前記ギャップを変化させるギャップ変化領域と、が円周方向に沿って設けられ、
前記ギャップ変化領域が、非連続面で形成されたことにより、前記ガイド軸の回転に伴って前記ギャップ変化領域と前記カム支持部との当接と離間が繰り返し行われる構成を有する、
ことを特徴とする記録装置。
【請求項７】
請求項１から請求項６のいずれか一項に記載の記録装置において、前記ギャップ切り換え手段は、モーターから動力を受けて前記カムを回転させるカム駆動ギアを備えるとともに、前記ギャップの切り換え動作に際して前記モーターを一方向に回転させる、
ことを特徴とする記録装置。
【請求項８】
請求項７に記載の記録装置において、前記モーターから前記カム駆動ギアへの動力伝達経路上に、前記モーターの回転方向切り換えを利用して動力伝達のオンオフ切り換えを行う遊星歯車機構を備える、
ことを特徴とする記録装置。
【発明の詳細な説明】
【技術分野】
【０００１】
本発明は、媒体に記録を行う記録装置に関する。
【背景技術】
【０００２】
記録装置の一例であるインクジェットプリンターには、記録ヘッドを搭載したキャリッジが主走査方向に往復動しつつ該記録ヘッドから媒体に液体（その一例であるインク）を吐出して記録を実行するように構成された、所謂シリアル式のものがある。キャリッジの往復動は、モーターを動力源とし、無端ベルトを介してその動力がキャリッジに伝達される構造が一般的である。キャリッジは軸受部（スライド軸受）を介してキャリッジガイド軸に案内されて軸線方向（主走査方向）に往復移動するようになっている。
【０００３】
また、媒体の一例としての記録用紙は種々の厚みのものがある為、記録ヘッドと対向配置された、記録用紙を支持部材と、記録ヘッドとの間のギャップを記録用紙の種類に応じて切り換えるギャップ切り換え手段が設けられるのが一般的である。  
ギャップ切り換え手段の形態としては種々のものがあるが、一例として、特許文献１に示される様に、キャリッジガイド軸の軸端にカム（特許文献１においてシフトカム４０）を設け、キャリッジガイド軸を回転させてカムを回転させることで、ギャップを調整する様に構成されるものがある。
【先行技術文献】
【特許文献】
【０００４】
【特許文献１】特開２００５−２８０２０６号公報
【発明の概要】
【発明が解決しようとする課題】
【０００５】
特許文献１記載の記録装置では、上記カムは、ギャップが変化しない安定領域（第１〜第４安定領域）と、ギャップが変化する変移領域（第１〜第４変移領域）と、を備えている。この様なカムプロファイルを備えたカムを回転させることで、ギャップを４つの大きさのうち任意のギャップに段階的に切り換えることが可能となっている。
【０００６】
しかしながら、ギャップを大きい段階から小さい段階に切り換える際、キャリッジやキャリッジガイド軸の重さが作用する為、切り換わった際に衝撃が生じ、その衝撃によって耳障りな突発音が発生してユーザーに不快感を与える虞がある。この突発音は、例えば、カムと、当該カムを支持する支持部材（特許文献１ではカムフォロワ４１）との衝突に伴う衝突音や、キャリッジガイド軸と、キャリッジにおける軸受けとの衝突に伴う衝突音であったりする。
【０００７】
上記の突発音は、特に、ギャップの変化が最も大きくなるギャップ切り換え動作に際して顕著に生じる虞があり、例えば、特許文献１の構成にあっては最もギャップが大きい第４安定領域から第１安定領域に切り換わる際に顕著に生じる虞がある。  
加えて、顕著な突発音に限られず、ギャップ切り換えの際の衝撃によって記録装置の構成、例えば記録ヘッドの性能に悪影響を及ぼす虞もある。
【０００８】
そこで本発明はこの様な問題に鑑み成されたものであり、その目的は、ギャップ切り換え動作の際の衝撃を抑制することにある。
【課題を解決するための手段】
【０００９】
上記課題を解決する為の、本発明の第１の態様に係る記録装置は、媒体に記録を行う記録ヘッドを備えるとともに媒体搬送方向と交差する方向に移動可能なキャリッジと、前記記録ヘッドと対向可能な位置に設けられ、媒体を支持する媒体支持部材と、前記キャリッジに設けられた軸受部を貫通し、前記キャリッジを前記キャリッジの移動方向にガイドする、前記移動方向に延びるガイド軸と、前記記録ヘッドと前記媒体支持部材との間のギャップを切り換えるギャップ切り換え手段と、を備え、前記ギャップ切り換え手段は、前記ガイド軸に設けられ、前記ガイド軸の軸中心位置から外周までの距離が円周方向に沿って変化する形状を有するカムと、前記カムを支持するカム支持部と、を備え、前記カムを回転させることにより、前記記録ヘッドと前記媒体支持部材との間のギャップを切り換える構成を有し、前記カムの外周面には、前記ギャップを維持するギャップ維持領域と、前記ギャップを変化させるギャップ変化領域と、が円周方向に沿って設けられ、前記ギャップ変化領域が前記カム支持部と接する際の前記ガイド軸の回転抵抗が、前記ギャップ維持領域が前記カム支持部と接する際の前記ガイド軸の回転抵抗より大きいことを特徴とする。
【００１０】
本態様によれば、前記ギャップ変化領域が前記カム支持部と接する際の前記ガイド軸の回転抵抗が、前記ギャップ維持領域が前記カム支持部と接する際の前記ガイド軸の回転抵抗より大きいので、前記ギャップ変化領域が前記カム支持部と接する際の前記ガイド軸の回転速度が抑えられる。従ってギャップ切り換え動作の際に生じる衝撃を緩和することができ、その結果突発音を抑制でき、或いは記録装置を構成する機構への悪影響を抑制できる。
【００１１】
本発明の第２の態様に係る記録装置は、媒体に記録を行う記録ヘッドを備えるとともに媒体搬送方向と交差する方向に移動可能なキャリッジと、前記記録ヘッドと対向可能な位置に設けられ、媒体を支持する媒体支持部材と、前記キャリッジに設けられた軸受部を貫通し、前記キャリッジを前記キャリッジの移動方向にガイドする、前記移動方向に延びるガイド軸と、前記記録ヘッドと前記媒体支持部材との間のギャップを切り換えるギャップ切り換え手段と、を備え、前記ギャップ切り換え手段は、前記ガイド軸に設けられ、前記ガイド軸の軸中心位置から外周までの距離が円周方向に沿って変化する形状を有するカムと、前記カムを支持するカム支持部と、を備え、前記カムを回転させることにより、前記記録ヘッドと前記媒体支持部材との間のギャップを切り換える構成を有し、前記カムの外周面には、前記ギャップを維持するギャップ維持領域と、前記ギャップを変化させるギャップ変化領域と、が円周方向に沿って交互に複数設けられ、複数の前記ギャップ変化領域のうち前記ギャップの変化量が最も大きいギャップ変化領域である最大ギャップ変化領域が前記カム支持部と接する際の前記ガイド軸の回転抵抗が、他のギャップ変化領域が前記カム支持部と接する際の前記ガイド軸の回転抵抗より大きいことを特徴とする。
【００１２】
本態様によれば、前記最大ギャップ変化領域が前記カム支持部と接する際の前記ガイド軸の回転抵抗が、他のギャップ変化領域が前記カム支持部と接する際の前記ガイド軸の回転抵抗より大きいので、前記最大ギャップ変化領域が前記カム支持部と接する際の前記ガイド軸の回転速度が抑えられる。従って前記最大ギャップ変化領域を利用したギャップ切り換え動作の際に生じる衝撃を緩和することができ、その結果突発音を抑制でき、或いは記録装置を構成する機構への悪影響を抑制できる。
【００１３】
本発明の第３の態様は、第２の態様において、前記カムが２色成形により形成されたことにより、前記最大ギャップ変化領域が他のギャップ変化領域とは異なる材質で形成されていることを特徴とする。  
本態様によれば、低コストに前記カムを構成できる。
【００１４】
本発明の第４の態様は、第３の態様において、前記最大ギャップ変化領域と前記カム支持部との間の摩擦力が、他のギャップ変化領域と前記カム支持部との間の摩擦力より大きく設定されたことにより、前記最大ギャップ変化領域が前記カム支持部と接する際の前記ガイド軸の回転抵抗を大きくすることを特徴とする。
【００１５】
本態様によれば、前記最大ギャップ変化領域と前記カム支持部との間の摩擦力が、他のギャップ変化領域と前記カム支持部との間の摩擦力より大きく設定されたことにより、前記最大ギャップ変化領域が前記カム支持部と接する際の前記ガイド軸の回転抵抗を大きくする構成である為、構造簡単にして低コストに前記最大ギャップ変化領域が前記カム支持部と接する際の前記ガイド軸の回転抵抗を大きくすることができる。
【００１６】
本発明の第５の態様は、第２から第４の態様のいずれかにおいて、前記最大ギャップ変化領域は、前記ギャップを最も大きくする前記ギャップ維持領域と、前記ギャップを最も小さくする前記ギャップ維持領域と、の間に形成されていることを特徴とする。
【００１７】
本態様によれば、前記最大ギャップ変化領域が、前記ギャップを最も大きくする前記ギャップ維持領域と、前記ギャップを最も小さくする前記ギャップ維持領域と、の間に形成されている構成において、上述した第３の態様の作用効果を得ることができる。
【００１８】
本発明の第６の態様に係る記録装置は、媒体に記録を行う記録ヘッドを備えるとともに媒体搬送方向と交差する方向に移動可能なキャリッジと、前記記録ヘッドと対向可能な位置に設けられ、媒体を支持する媒体支持部材と、前記キャリッジに設けられた軸受部を貫通し、前記キャリッジを前記キャリッジの移動方向にガイドする、前記移動方向に延びるガイド軸と、前記記録ヘッドと前記媒体支持部材との間のギャップを切り換えるギャップ切り換え手段と、を備え、前記ギャップ切り換え手段は、前記ガイド軸に設けられ、前記ガイド軸の軸中心位置から外周までの距離が円周方向に沿って変化する形状を有するカムと、前記カムを支持するカム支持部と、を備え、前記カムを回転させることにより、前記記録ヘッドと前記媒体支持部材との間のギャップを切り換える構成を有し、前記カムの外周面には、前記ギャップを維持するギャップ維持領域と、前記ギャップを変化させるギャップ変化領域と、が円周方向に沿って設けられ、前記ギャップ変化領域が、非連続面で形成されたことにより、前記ガイド軸の回転に伴って前記ギャップ変化領域と前記カム支持部との当接と離間が繰り返し行われる構成を有することを特徴とする。
【００１９】
本態様によれば、前記ギャップ変化領域が、非連続面で形成されたことにより、前記ガイド軸の回転に伴って前記ギャップ変化領域と前記カム支持部との当接と離間が繰り返し行われる構成を有するので、前記ギャップ変化領域が連続面で形成されている構成、即ちギャップ切り換えの際に大きな衝撃が一回発生する構成に比べて、小さな衝撃を複数回発生させることでギャップ切り換えの際の突発音を抑制でき、或いは記録装置を構成する機構への悪影響を抑制できる。
【００２０】
本発明の第７の態様は、第１から第６の態様のいずれかにおいて、前記ギャップ切り換え手段は、モーターから動力を受けて前記カムを回転させるカム駆動ギアを備えるとともに、前記ギャップの切り換え動作に際して前記モーターを一方向に回転させることを特徴とする。
【００２１】
本態様によれば、前記ギャップ切り換え手段は、モーターから動力を受けて前記カムを回転させるカム駆動ギアを備えるとともに、前記ギャップの切り換え動作に際して前記モーターを一方向に回転させる構成であり、即ち前記モーターの回転方向切り換えを利用できない構成のため、ギャップ切り換えの際に前記最大ギャップ変化領域を回避できないが、上述した第１の態様の作用効果によって、前記最大ギャップ変化領域を利用する場合であっても、ギャップ切り換え動作の際に生じる衝撃を緩和することができる。
【００２２】
本発明の第８の態様は、第７の態様において、前記モーターから前記カム駆動ギアへの動力伝達経路上に、前記モーターの回転方向切り換えを利用して動力伝達のオンオフ切り換えを行う遊星歯車機構を備えることを特徴とする。
【００２３】
本態様によれば、前記モーターから前記カム駆動ギアへの動力伝達経路上に、前記モーターの回転方向切り換えを利用して動力伝達のオンオフ切り換えを行う遊星歯車機構を備える構成において、前記最大ギャップ変化領域を利用する場合であっても、ギャップ切り換え動作の際に生じる衝撃を緩和することができる。
【図面の簡単な説明】
【００２４】
【図１】本発明に係るプリンターの外観斜視図。
【図２】本発明に係るプリンターにおいて排出トレイを展開させた状態の斜視図。
【図３】装置本体の斜視図。
【図４】キャリッジ、キャリッジ駆動手段及びギャップ切り換え手段の斜視図。
【図５】キャリッジの背面側を示す平面図
【図６】ガイド軸及び第１ギャップ調整カムを示す斜視図。
【図７】第１ギャップ調整カムの拡大図。
【図８】カム支持部に支持された第１ギャップ調整カムの正面図。
【図９】カム支持部に支持された第２ギャップ調整カムの正面図。
【図１０】キャリッジとギャップ切り換え手段の正面図。
【図１１】ギャップ切り換え手段の第１の状態を示す正面図。
【図１２】ギャップ切り換え手段の第２の状態を示す正面図。
【図１３】ギャップ切り換え手段の第３の状態を示す正面図。
【図１４】本発明に係る第１ギャップ調整カムの第２実施例を示す斜視図。
【図１５】本発明に係る第３実施例におけるギャップ切り換え手段の斜視図。
【図１６】本発明に係る第３実施例におけるギャップ切り換え手段の斜視図。
【発明を実施するための形態】
【００２５】
以下、本発明の実施の形態を図面に基づいて説明する。尚、各実施例において同一の構成については、同一の符号を付し、最初の実施例においてのみ説明し、以後の実施例においてはその構成の説明を省略する。
【００２６】
図１は本発明に係るプリンターの外観斜視図であり、図２は本発明に係るプリンターにおいて排出トレイを展開させた状態の斜視図であり、図３は装置本体の斜視図であり、図４はキャリッジ、キャリッジ駆動手段及びギャップ切り換え手段の斜視図であり、図５はキャリッジの背面側を示す平面図であり、図６はガイド軸及び第１ギャップ調整カムカムを示す斜視図であり、図７は第１ギャップ調整カムの拡大図であり、図８はカム支持部に支持された第１ギャップ調整カムの正面図である。
【００２７】
図９はカム支持部に支持された第２ギャップ調整カムの正面図であり、図１０はキャリッジとギャップ切り換え手段の正面図であり、図１１はギャップ切り換え手段の第１の状態を示す正面図であり、図１２はギャップ切り換え手段の第２の状態を示す正面図であり、図１３はギャップ切り換え手段の第３の状態を示す正面図であり、図１４は本発明に係る第１ギャップ調整カムの第２実施例を示す斜視図であり、図１５は本発明に係る第３実施例におけるギャップ切り換え手段の斜視図であり、図１６は本発明に係る第３実施例におけるギャップ切り換え手段の斜視図である。
【００２８】
また、各図において示すＸ−Ｙ−Ｚ座標系はＸ方向がキャリッジの主走査方向（移動方向）、すなわち記録装置の幅方向、Ｙ方向が媒体搬送方向、すなわち記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００２９】
■■■第１実施例■■■■
＜＜＜プリンターの概要＞＞＞
図１ないし図３を参照するに、プリンター１０は、装置本体１２と、装置本体１２の上部に設けられたスキャナ部１４とを備えている。装置本体１２の装置前面側には操作部１６が装置本体１２に対して回動可能に設けられている。操作部１６には表示パネル等の表示手段１８が設けられている。
【００３０】
装置本体１２の装置前面側において操作部１６の下方にはカバー２０が装置本体１２に対して回動可能に取り付けられている。また、装置本体１２には排出トレイ２２が設けられている。排出トレイ２２は、装置本体１２内に収容された状態（図１参照）と装置本体１２の装置前面側に展開した状態（図２参照）とを切換え可能に構成されている。
【００３１】
また、装置本体１２の背面側の上部にはカバー２４が回動可能に取り付けられている。カバー２４は、図１に示す装置本体１２に対して閉じた状態と、図２に示す装置本体１２に対して開いた状態とを切換え可能に構成されている。カバー２４を装置本体１２に対して開いた状態とすると、矢印Ａの向きに媒体を装置本体１２内に差し入れることができ、差し入れられた媒体は、図３に示す傾斜した媒体案内経路２６に案内されて、搬送方向下流側に送られる。
【００３２】
次いで、図３を参照するに装置本体１２の下部には、媒体を収容する媒体収容部２８が設けられている。媒体収容部２８は装置前面側から装置本体１２に着脱可能に構成されている。また、カバー２０は、媒体収容部２８の装置奥行き方向前面側において媒体収容部２８に対して回動可能に取り付けられている。
【００３３】
また、装置高さ方向において媒体収容部２８の上方には記録部３０が設けられている。記録部３０は、キャリッジ３２と、記録ヘッド３４と、媒体支持部材３６と、キャリッジ駆動手段３８とを備えている。キャリッジ３２は、装置幅方向に往復動可能に構成されている。そして、キャリッジ３２の下部には、記録ヘッド３４（図１０も参照）が設けられている。記録ヘッド３４は装置高さ方向下方側に向けてインクを吐出するように構成されている。
【００３４】
媒体収容部２８に収容された媒体は、不図示の給送手段により、媒体収容部２８から搬送方向下流側に向けて給送され、湾曲反転させられて、媒体搬送方向である装置奥行き方向背面側から前面側に向けて搬送される。そして、媒体は記録部３０に搬送され、記録部３０において媒体の記録面に記録が実行された後、装置本体１２の前面側に展開した状態の排出トレイ２２に排出される。また、カバー２４を開いて、プリンター１０の上方から差し入れられた媒体は、媒体案内経路２６に案内されて記録部３０に搬送され、記録部３０において記録が行われる。そして、記録が行われた後、排出トレイ２２に排出される。
【００３５】
＜＜＜キャリッジ及びキャリッジ駆動手段の概要＞＞＞
図４及び図５を参照して、キャリッジ３２及びキャリッジ駆動手段３８について説明する。キャリッジ３２は、箱状の筐体３２ａと、把持部３２ｂ（図５参照）と、軸受部３２ｃ（図５参照）とを備えている。本実施例において筐体３２ａは上方に開口しており、筐体３２ａには、筐体３２ａの装置高さ方向上方側から複数のインクカートリッジ（不図示）が着脱可能である。図５に示すように筐体３２ａの背面側には、把持部３２ｂ及び軸受部３２ｃが設けられている。本実施例では、筐体３２ａの背面側下部に軸受部３２ｃが設けられ、軸受部３２ｃの上方に把持部３２ｂが設けられている。
【００３６】
キャリッジ駆動手段３８は、キャリッジ駆動モーター４０と、駆動プーリー４２と、従動プーリー（不図示）と、無端ベルト４４とを備えている。本実施例において、キャリッジ駆動モーター４０は装置幅方向において装置左側に設けられている。そして、キャリッジ駆動モーター４０には駆動プーリー４２が取り付けられている。また、装置右側には、駆動プーリー４２に対して装置幅方向に間隔をおいて従動プーリー（不図示）が配置されている。
【００３７】
そして、無端ベルト４４は、駆動プーリー４２と従動プーリー（不図示）とに掛け回されている。また、キャリッジ３２の背面側に設けられた把持部３２ｂは、無端ベルト４４の少なくとも一部を把持している。キャリッジ駆動モーター４０により駆動プーリー４２を回転駆動させると、無端ベルト４４も同じ回転方向に駆動させられる。その結果、キャリッジ３２は、キャリッジ駆動手段３８により装置幅方向に移動させられる。
【００３８】
また、図３及び図４を参照するに、記録部３０には装置幅方向に延びるガイド軸４８が設けられている。本実施例において、ガイド軸４８は、キャリッジ３２の背面側に設けられた軸受部３２ｃに挿入されている。そして、キャリッジ３２が装置幅方向に移動する際、ガイド軸４８は、キャリッジ３２を案内する。
【００３９】
また、図３及び図４に示すように、キャリッジ３２の装置幅方向における移動領域のホームポジションを、一例として装置本体１２の装置右側の端部に設定している。すなわち、図３及び図４に示すように、キャリッジ３２が装置本体１２の装置右側の端部に位置している状態が、キャリッジ３２のホームポジションである。
【００４０】
＜＜＜ガイド軸の構成＞＞＞
次いで、図６に示すように、ガイド軸４８の両端部には、「カム」としての第１ギャップ調整カム５０と、第２ギャップ調整カム５２とが設けられている。ここで、図２に示すように装置幅方向において装置本体１２の両端部にはフレーム部材５４Ａ、５４Ｂが設けられている。フレーム部材５４Ａ、５４Ｂには、装置高さ方向に延びる長穴が形成されており、この長穴にガイド軸４８が挿通されている。そして、第１ギャップ調整カム５０及び第２ギャップ調整カム５２は装置幅方向においてフレーム部材５４Ａ、５４Ｂの外側に配置されている。
【００４１】
また、フレーム部材５４Ａ、５４Ｂには、カム支持部材５６が取り付けられている。カム支持部材５６は、図８及び図９に示すように、カム支持部５６ａを備えている。カム支持部材５６は、第１ギャップ調整カム５０及び第２ギャップ調整カム５２をカム支持部５６ａにより支持している。尚、カム支持部５６ａと第１ギャップ調整カム５０及び第２ギャップ調整カム５２との関係は、後述する。
【００４２】
＜＜＜第１ギャップ調整カムについて＞＞＞
次いで、図６ないし図８を参照して、第１ギャップ調整カム５０の構成について説明する。第１ギャップ調整カム５０の外周面は、カム面５０ａとして形成されている。そして、カム面５０ａは、図８に示すように第１ギャップ調整カム５０の円周方向において、第１ギャップ調整カム５０の中心からの半径がＲ１、Ｒ２、Ｒ３、Ｒ４の順に変化するように構成されている。
【００４３】
ここで、第１ギャップ調整カム５０は、図８における時計回り方向に回転することにより、第１ギャップ調整カム５０の中心からの半径がＲ１、Ｒ２、Ｒ３、Ｒ４の順に変化し、ガイド軸４８の中心とカム支持部５６ａとの距離を変化させて、記録ヘッド３４と媒体支持部材３６との間のギャップＰＧを変化させる。そして、第１ギャップ調整カム５０のカム面５０ａにおいて中心からの半径がＲ１、Ｒ２、Ｒ３、Ｒ４となる領域が、記録ヘッド３４と媒体支持部材３６との間のギャップＰＧを規定する領域である。つまり、第１ギャップ調整カム５０のカム面５０ａにおいて中心からの半径がＲ１、Ｒ２、Ｒ３、Ｒ４となる領域は、ギャップ維持領域５０ｂ、５０ｃ、５０ｄ、５０ｅとして形成されている。
【００４４】
そして、カム面５０ａの円周方向に沿って、各ギャップ維持領域５０ｂ、５０ｃ、５０ｄ、５０ｅの間には、ギャップ変化領域５０ｆ、５０ｇ、５０ｈ、５０ｊが形成されている。つまり、ギャップ維持領域５０ｂ、５０ｃ、５０ｄ、５０ｅとギャップ変化領域５０ｆ、５０ｇ、５０ｈ、５０ｊとは円周方向に沿って交互に形成されている。尚、ギャップ維持領域５０ｂ、５０ｃ、５０ｄ、５０ｅ及びギャップ変化領域５０ｆ、５０ｇ、５０ｈ、５０ｊは、上記態様に限定するものではなく、ギャップＰＧのポジションの数に対応して適宜設けられる。
【００４５】
ここで、複数のギャップ変化領域５０ｆ、５０ｇ、５０ｈ、５０ｊにおいて、ギャップ変化領域５０ｊは、ギャップＰＧの変化量が最も大きい領域であり、以下の説明では最大ギャップ変化領域５０ｊと呼ぶ。最大ギャップ変化領域５０ｊは、円周方向において、ギャップＰＧが最小となるギャップ維持領域５０ｂ（第１ギャップ調整カム５０の中心から外周面までの距離がＲ１となる領域）と、ギャップＰＧが最大となるギャップ維持領域５０ｅ（第１ギャップ調整カム５０の中心から外周面までの距離がＲ４となる領域）との間に形成されている。
【００４６】
図７を参照するに、第１ギャップ調整カム５０においてギャップ維持領域５０ｂ、５０ｃ、５０ｄ、５０ｅ及びギャップ変化領域５０ｆ、５０ｇ、５０ｈ、５０ｊは、二色成形で形成されている。具体的には、最大ギャップ変化領域５０ｊは、ゴムやエラストマー等の高摩擦材料で形成されている。一例として、最大ギャップ変化領域５０ｊを形成するエラストマーには、ＪＩＳＫ６２５３により規定されているゴム硬さにおいて約２０〜９０（ポイント）程度の硬さのものを使用している。
【００４７】
ギャップ維持領域５０ｂ、５０ｃ、５０ｄ、５０ｅ及びギャップ変化領域５０ｆ、５０ｇ、５０ｈは、ＰＯＭ等の低摩擦材料で形成されている。一例として、ギャップ維持領域５０ｂ、５０ｃ、５０ｄ、５０ｅ及びギャップ変化領域５０ｆ、５０ｇ、５０ｈを形成するＰＯＭには、ロックウェル硬度７０〜８０Ｍ（スケール）程度のものを使用している。
【００４８】
尚、第１ギャップ調整カム５０は二色成形により構成したが、ギャップ変化領域５０ｆ、５０ｇ、５０ｈ、５０ｊあるいは最大ギャップ変化領域５０ｊのみ、別部品としてエラストマー等の高摩擦材料で構成し、第１ギャップ調整カム５０に取り付ける構成としてもよい。
【００４９】
ここで、最大ギャップ変化領域５０ｊはエラストマー等の材料で形成され、ギャップ維持領域５０ｂ、５０ｃ、５０ｄ、５０ｅ及びギャップ変化領域５０ｆ、５０ｇ、５０ｈはＰＯＭ等の低摩擦材料で形成されているので、最大ギャップ変化領域５０ｊの方が他のギャップ変化領域５０ｆ、５０ｇ、５０ｈに比べてカム支持部５６ａと接した際の摩擦力が大きくなる。従って、第１ギャップ調整カム５０において、最大ギャップ変化領域５０ｊとカム支持部５６ａとが接する際のガイド軸４８の回転抵抗が、ギャップ維持領域５０ｂ、５０ｃ、５０ｄ、５０ｅとカム支持部５６ａとが接する際のガイド軸４８の回転抵抗より大きくなる。
【００５０】
尚、本実施例では、ギャップ変化領域５０ｆ、５０ｇ、５０ｈをＰＯＭ等の低摩擦材料で形成したが、最大ギャップ変化領域５０ｊと同じようにゴムやエラストマー等の高摩擦材料で形成してもよい。
【００５１】
また、第１ギャップ調整カム５０においてガイド軸４８が取り付けられた側と反対の側には、カム駆動ギア５８が形成されている。カム駆動ギア５８については後述する。
【００５２】
＜＜＜第２ギャップ調整カムについて＞＞＞
図６及び図９を参照して第２ギャップ調整カム５２について説明する。第２ギャップ調整カム５２の外周面は、カム面５２ａとして形成されている。そして、カム面５２ａは、第２ギャップ調整カム５２の円周方向において、第２ギャップ調整カム５２の中心からの半径がＲ１、Ｒ２、Ｒ３、Ｒ４の順に変化するように構成されている。
【００５３】
第２ギャップ調整カム５２は、カム面５２ａの輪郭が第１ギャップ調整カム５０のカム面５０ａの輪郭と同期するようにガイド軸４８に取り付けられている。すなわち、第１ギャップ調整カム５０における中心からの半径がＲ１、Ｒ２、Ｒ３、Ｒ４となる領域と、第２ギャップ調整カム５２における中心からの半径がＲ１、Ｒ２、Ｒ３、Ｒ４となる領域とが対応している。これにより、ガイド軸４８を回転させた際、第１ギャップ調整カム５０及び第２ギャップ調整カム５２は、カム支持部材５６に対してガイド軸４８を略水平に保ったまま、装置高さ方向に上下動させることができる。
【００５４】
また、第２ギャップ調整カム５２は、一例としてＰＯＭ等の低摩擦材料で形成されている。尚、第２ギャップ調整カム５２は、ＰＯＭ等の低摩擦材料で構成したが、第１ギャップ調整カム５０と同様の構成としてもよい。
【００５５】
＜＜＜ギャップ切換え手段について＞＞＞
次いで図１０ないし図１３を参照してギャップ切り換え手段６０について説明する。ギャップ切り換え手段６０は、装置本体１２に設けられており、ガイド軸４８と、第１ギャップ調整カム５０と、第２ギャップ調整カム５２と、「ギャップを切換える構成」としてのガイド軸駆動手段６２とを備えている。
【００５６】
ガイド軸駆動手段６２は、第１ギャップ調整カム５０に形成されたカム駆動ギア５８と、駆動モーター６４と複数の歯車６６Ａ、６６Ｂ、６６Ｃ、６６Ｄ、６６Ｅ、６６Ｆ、６６Ｇと、検出センサー６８と、エンコーダーセンサー７０とを備えている。そして、装置本体１２内に設けられた不図示の制御部によりガイド軸駆動手段６２は制御されている。具体的には、不図示の制御部は、検出センサー６８及びエンコーダーセンサー７０の検出情報に基づいて駆動モーター６４の回転を制御している。
【００５７】
駆動モーター６４の回転駆動力は、互いに噛み合う歯車６６Ａ、６６Ｂ、６６Ｃ、６６Ｄの順に伝達される。そして、歯車６６Ｃと歯車６６Ｄとの間には、遊星歯車機構７２（図１１ないし図１３参照）が設けられており、遊星歯車機構７２は、歯車６６Ｄと噛合する状態と、歯車６６Ｄから離間した状態とを切換え可能に構成されている。
【００５８】
図１１ないし図１３を参照するに、遊星歯車機構７２は、歯車６６と同軸で回転する太陽歯車７４と、歯車６６ｃの回転軸７６を中心に揺動可能な揺動部材７８と、揺動部材７８に取り付けられ、太陽歯車７４と噛合している遊星歯車８０と、ワイヤ状の規制棒８２とを備えている。尚、太陽歯車７４と揺動部材７８との間には、摩擦部材が介在しており、太陽歯車７４から揺動部材７８へ摩擦力によって回転トルクが伝達されるようになっている。従って、揺動部材７８と太陽歯車７４は、揺動部材７８の揺動範囲では同期して回転し、揺動部材７８が揺動限度に達すると両者の間で空回りできるようになっている。
【００５９】
駆動モーター６４により歯車６６Ａが図１０における時計周り方向に回転駆動させられると、歯車６６Ｂを介して歯車６６Ｃも図１０における時計周り方向（図１１では反時計回り方向）に回転駆動させられる。その結果、図１１において太陽歯車７４も反時計回り方向に回転駆動させられる。この状態において、太陽歯車７４と噛合している遊星歯車８０は図１１における時計回り方向に回転駆動させられる。しかしながら、この状態では、遊星歯車８０は歯車６６Ｄに対して離間した状態にあり、駆動モーター６４の駆動力を歯車６６Ｄに伝達できない状態にある。
【００６０】
図１２に示すように、歯車６６Ｃが図１２における反時計回り方向に回転駆動させられると、揺動部材７８は回転軸７６を中心に図１１における反時計周り方向に揺動する。そして、揺動部材７８が図１１における反時計回り方向に揺動すると、遊星歯車８０が歯車６６Ｄに接近する。そして、図１２に示すように、揺動部材７８が図１２における反時計回り方向にさらに揺動すると、遊星歯車８０が歯車６６Ｄと噛合する。その結果、遊星歯車８０は、駆動モーター６４の回転駆動力を歯車６６Ｄへ伝達する。
【００６１】
これにより、歯車６６Ｄの回転が歯車６６Ｅに伝達される。ここで、歯車６６Ｅは、第１ギャップ調整カム５０に設けられたカム駆動ギア５８と噛合している。したがって、歯車６６Ｅの回転がカム駆動ギア５８に伝達され、第１ギャップ調整カム５０、ひいてはガイド軸４８が図１３における反時計回り方向に回転し、ギャップＰＧが切換えられる。
【００６２】
また、揺動部材７８には、規制ブロック７８ａ、７８ｂが形成されている。規制棒８２の揺動部材７８側の先端は、装置幅方向（図１１における紙面方向）において揺動部材７８側にＬ字状に曲がって先端８２ａを構成している。そして、この先端８２ａが規制ブロック７８ａ、７８ｂと係合できるように構成されている。規制ブロック７８ａ、７８ｂ及び規制棒８２は、揺動部材７８の姿勢を拘束する手段を構成している。そして、規制棒８２の先端８２ａは、揺動部材７８の揺動動作に伴い、規制ブロック７８ａの周囲を図１１の破線Ｓで示すように辿ることができるようになっている。
【００６３】
図１１に示す状態において、歯車６６ｃが図１１における反時計回り方向に回転すると、揺動部材７８も反時計回り方向に揺動する。そして、規制棒８２の先端８２ａは、揺動部材７８の揺動に伴って、規制ブロック７８ａの上方側を変位する。そして、先端８２ａは、図１２に示すように規制ブロック７８ｂの拘束位置８４に嵌り込む。この状態では、揺動部材７８は、図１２における反時計回り方向へのこの姿勢以上の揺動を規制される。これにより、遊星歯車８０は歯車６６Ｄと噛み合うことができない。
【００６４】
この状態から、揺動部材７８を図１２における時計回り方向にわずかに揺動させると、先端８２ａが拘束位置８４に対して相対的に図１２における反時計回り方向に移動し、拘束位置８４から外れて、フリーな状態となる。この状態において、再度、揺動部材７８を図１２における反時計回り方向に揺動させると、遊星歯車８０が歯車６６Ｄと噛み合う状態となり、ギャップＰＧが切換えられる。
【００６５】
また、再度図１０を参照するに駆動モーター６４の回転駆動力は、歯車６６Ｆにも伝達され、歯車６６Ｆと噛合する歯車６６Ｇにも伝達される。そして、歯車６６Ｇにはロータリースケール８６が取り付けられている。歯車６６Ｇが回転するとロータリースケール８６も同じ回転方向に回転し、その回転量をエンコーダーセンサー７０が検出する。すなわち、エンコーダーセンサー７０は、駆動モーター６４の回転量を検出している。
【００６６】
また、検出センサー６８は、本実施例において光学センサーとして構成されている。そして、歯車６６Ｄの外周面から突出する凸状部８８を検出するように構成されている。
【００６７】
また、本実施例において、ガイド軸駆動手段６２の歯車６６Ａ、６６Ｂ、６６Ｃ、６６Ｄ、６６Ｅ、６６Ｆ、６６Ｇの少なくとも一つは、不図示のインクメンテナンス手段と噛合するように構成されている。そして、駆動モーター６４の回転駆動力を不図示のインクメンテナンス手段に伝達している。つまり、本実施例においてガイド軸駆動手段６２及び不図示のインクメンテナンス手段は、駆動源として駆動モーター６４を共用している。尚、インクメンテナンス手段は、具体的には、キャリッジ３２がホームポジションに位置する際、記録ヘッド３４と密着するキャップ手段（不図示）等を駆動させる手段である。
【００６８】
ここで、図８を参照して、ギャップＰＧの調整についてまとめると、図１３に示すように遊星歯車８０が歯車６６Ｄと噛合した状態となると、駆動モーター６４の回転駆動力が第１ギャップ調整カム５０に伝達される。そして、第１ギャップ調整カム５０は、図８における時計回り方向に回転する。これにより、第１ギャップ調整カム５０における中心とカム支持部材５６のカム支持部５６ａとの距離がＲ１、Ｒ２、Ｒ３、Ｒ４の順に変化する。すなわち、記録ヘッド３４と媒体支持部材３６との間のギャップＰＧが徐々に大きくなる。
【００６９】
ここで、第１ギャップ調整カム５０を図８における反時計周り方向に回転させようとして、駆動モーター６４を逆転させると、遊星歯車８０と歯車６６Ｄとの噛合状態が解消するので、第１ギャップ調整カム５０を図８における反時計回り方向に回転させることができない。つまり、駆動モーター６４は、ギャップ切換え動作時に際して回転方向は一方向のみとなる。
【００７０】
したがって、第１ギャップ調整カム５０における中心とカム支持部材５６のカム支持部５６ａとの距離がＲ４となった状態、すなわちギャップＰＧが最大になった場合において、ギャップＰＧを変化させようとすると、ギャップＰＧが最大の状態から最小の状態に変化する。つまり、カム支持部５６ａは、第１ギャップ調整カム５０の回転に伴い、ギャップ維持領域５０ｅを支持した状態から最大ギャップ変化領域５０ｊを経てギャップ維持領域５０ｂを支持した状態に切り換わる。
【００７１】
本実施例では、最大ギャップ変化領域５０ｊをゴムやエラストマー等の高摩擦材料で形成したので、最大ギャップ変化領域５０ｊとカム支持部５６ａとの摩擦力が大きくなり、ギャップ切換え動作時に生じる衝撃を緩和し、突発音を抑制できる。また、プリンター１０の小型化に伴って、第１ギャップ調整カム５０の輪郭（プロファイル）の変化が大きくなった場合でも、ギャップ変化領域５０ｆ、５０ｇ、５０ｈ、５０ｊをゴムやエラストマー等の高摩擦材料で形成することにより、ガイド軸４８の回転抵抗を局所的に大きくすることができ、第１ギャップ調整カム５０の自重回転、落下等による突発音の発生を抑制できる。
【００７２】
■■■第２実施例■■■■
次いで図１４を参照して第２実施例について説明する。本実施例における第１ギャップ調整カム９０は、最大ギャップ変化領域９０ａをギア状の非連続面として形成した点以外、第１実施例における第１ギャップ調整カム５０と同様の構成を備えている。尚、第１ギャップ調整カム５０と同様の構成については説明を省略する。
【００７３】
第１ギャップ調整カム９０において、最大ギャップ変化領域９０ａは、ギア状の非連続面として形成されている。そして、本実施例において、第１ギャップ調整カム９０において、最大ギャップ変化領域９０ａはその他の部位と同じようにＰＯＭ等の低摩擦材質で形成されている。
【００７４】
そして、第１ギャップ調整カム９０が回転駆動させられると、最大ギャップ変化領域９０ａはギア状の非連続面として形成されているので、最大ギャップ変化領域９０ａと、カム支持部材５６のカム支持部５６ａとの当接と離間が繰り返し行われる。そして、最大ギャップ変化領域９０ａと、カム支持部材５６のカム支持部５６ａとが当接することにより、第１ギャップ調整カム９０に制動が掛かるので、最大ギャップ変化領域９０ａにおけるギャップ切換えにおける衝撃を複数回の小さな衝撃とすることで、突発音の大きさを抑制できる。
【００７５】
＜＜＜第２実施例の変更例＞＞＞
本実施例では、最大ギャップ変化領域９０ａをＰＯＭ等の低摩擦材質で形成したが、ギア状の最大ギャップ変化領域９０ａをゴムやエストラマー等の高摩擦材料で形成してもよい。
【００７６】
■■■第３実施例■■■■
次いで、図１５及び図１６を参照して第３実施例について説明する。第３実施例は、ガイド軸駆動手段６２を構成する複数の歯車のうち、歯車６６Ｄが歯車６６Ｄの回転抵抗を変化させる構成を備えた点で第１の実施例と相違する。
【００７７】
歯車６６Ｄは、回転軸９２と、内周部９４と、外周に形成されたギア部９６とを備えている。内周部９４は、回転軸９２の周りを取り囲む凹部として形成されている。そして、環状の内周部９４の一部には、円周方向に沿って回転軸９２の軸線方向における高さが変化する隆起状部９８が形成されている。
【００７８】
そして、内周部９４内には管状のスライダ１００が歯車６６Ｄの回転に伴って内周部９４内を相対移動可能に配置されている。また、スライダ１００内には付勢手段１０２が配置されている。付勢手段１０２は、一例として圧縮バネとして構成されている。また、ガイド軸駆動手段６２の複数の歯車を装置本体１２に取り付けるためにフレーム部材１０４がフレーム部材５４Ａに取り付けられている（図４も参照）。
【００７９】
そして、図１５に示すようにフレーム部材１０４に設けられた凸部１０４ａに付勢手段１０２の一端が取り付けられている。したがって、スライダ１００は、付勢手段１０２により内周部９４の底部に向けて押し付けられている。
【００８０】
ここで、歯車６６Ｄが回転した際、スライダ１００は内周部９４に対して相対移動する。そして、スライダ１００が隆起状部９８に差し掛かると、スライダ１００は付勢手段１０２の付勢力に抗して隆起状部９８を登る。その結果、付勢手段１０２の付勢力が増大し、スライダ１００が隆起状部９８、ひいては歯車６６Ｄを押圧する押圧力が増大する。
【００８１】
その結果、歯車６６Ｄにおける回転抵抗が増大する。これにより、歯車６６Ｄと噛合する歯車６６Ｅを介して第１ギャップ調整カム５０の回転抵抗が増大する。尚、歯車６６Ｄにおいて隆起状部９８により回転抵抗が増大する位相と、第１ギャップ調整カム５０における最大ギャップ変化領域とが対応するように構成されている。
【００８２】
また、歯車６６Ｄの回転に伴い、スライダ１００が隆起状部９８を乗り越えると、歯車６６Ｄを押圧する押圧力が減少し、第１ギャップ調整カム５０の回転抵抗が減少する。
【００８３】
上記説明をまとめると、プリンター１０は、媒体に記録を行う記録ヘッド３４を備えるとともに媒体搬送方向と交差する方向である装置幅方向に移動可能なキャリッジ３２と、記録ヘッド３４と対向可能な位置に設けられ、媒体を支持する媒体支持部材３６と、キャリッジ３２に設けられた軸受部３２ｃを貫通し、キャリッジ３２をキャリッジ３２の移動方向にガイドする、移動方向に延びるガイド軸４８と、記録ヘッド３４と媒体支持部材３６との間のギャップＰＧを切り換えるギャップ切り換え手段６０と、を備え、ギャップ切り換え手段６０は、ガイド軸４８に設けられ、ガイド軸４８の軸中心位置から外周までの距離が円周方向に沿って変化する形状を有する第１ギャップ調整カム５０と、第１ギャップ調整カム５０を支持するカム支持部５６ａと、を備え、第１ギャップ調整カム５０を回転させることにより、記録ヘッド３４と媒体支持部材３６との間のギャップＰＧを切り換える構成であるガイド軸駆動手段６２を有し、第１ギャップ調整カム５０の外周面であるカム面５０ａには、ギャップＰＧを維持するギャップ維持領域５０ｂ、５０ｃ、５０ｄ、５０ｅと、ギャップＰＧを変化させるギャップ変化領域５０ｆ、５０ｇ、５０ｈ、５０ｊと、が円周方向に沿って設けられ、ギャップ変化領域５０ｆ、５０ｇ、５０ｈ、５０ｊがカム支持部５６ａと接する際のガイド軸４８の回転抵抗が、ギャップ維持領域５０ｂ、５０ｃ、５０ｄ、５０ｅがカム支持部５６ａと接する際のガイド軸４８の回転抵抗より大きい。
【００８４】
上記構成によれば、ギャップ変化領域５０ｆ、５０ｇ、５０ｈ、５０ｊがカム支持部５６ａと接する際のガイド軸４８の回転抵抗が、ギャップ維持領域５０ｂ、５０ｃ、５０ｄ、５０ｅがカム支持部５６ａと接する際のガイド軸４８の回転抵抗より大きいので、ギャップ変化領域５０ｆ、５０ｇ、５０ｈ、５０ｊがカム支持部５６ａと接する際のガイド軸４８の回転速度が抑えられる。従ってギャップ切り換え動作の際に生じる衝撃を緩和することができ、その結果突発音を抑制でき、或いは記録装置を構成する機構への悪影響を抑制できる。
【００８５】
プリンター１０は、媒体に記録を行う記録ヘッド３４を備えるとともに媒体搬送方向と交差する方向である装置幅方向に移動可能なキャリッジ３２と、記録ヘッド３４と対向可能な位置に設けられ、媒体を支持する媒体支持部材３６と、キャリッジ３２に設けられた軸受部３２ｃを貫通し、キャリッジ３２をキャリッジ３２の移動方向にガイドする、移動方向に延びるガイド軸４８と、記録ヘッド３４と媒体支持部材３６との間のギャップＰＧを切り換えるギャップ切り換え手段６０と、を備え、ギャップ切り換え手段６０は、ガイド軸４８に設けられ、ガイド軸４８の軸中心位置から外周までの距離が円周方向に沿って変化する形状を有する第１ギャップ調整カム５０と、第１ギャップ調整カム５０を支持するカム支持部５６ａと、を備え、第１ギャップ調整カム５０を回転させることにより、記録ヘッド３４と媒体支持部材３６との間のギャップＰＧを切り換える構成であるガイド軸駆動手段６２を有し、第１ギャップ調整カム５０の外周面であるカム面５０ａには、ギャップＰＧを維持するギャップ維持領域５０ｂ、５０ｃ、５０ｄ、５０ｅと、ギャップＰＧを変化させるギャップ変化領域５０ｆ、５０ｇ、５０ｈ、５０ｊと、が円周方向に沿って交互に複数設けられ、複数のギャップ変化領域５０ｆ、５０ｇ、５０ｈ、５０ｊのうちギャップＰＧの変化量が最も大きいギャップ変化領域である最大ギャップ変化領域５０ｊがカム支持部５６ａと接する際のガイド軸４８の回転抵抗が、他のギャップ変化領域５０ｆ、５０ｇ、５０ｈがカム支持部５６ａと接する際のガイド軸４８の回転抵抗より大きい。
【００８６】
上記構成によれば、最大ギャップ変化領域５０ｊがカム支持部５６ａと接する際のガイド軸４８の回転抵抗が、他のギャップ変化領域５０ｆ、５０ｇ、５０ｈがカム支持部５６ａと接する際のガイド軸４８の回転抵抗より大きいので、最大ギャップ変化領域５０ｊがカム支持部５６ａと接する際のガイド軸４８の回転速度が抑えられる。従って最大ギャップ変化領域５０ｊを利用したギャップ切り換え動作の際に生じる衝撃を緩和することができ、その結果突発音を抑制でき、或いは記録装置を構成する機構への悪影響を抑制できる。
【００８７】
第１ギャップ調整カム５０が２色成形により形成されたことにより、最大ギャップ変化領域５０ｊが他のギャップ変化領域５０ｆ、５０ｇ、５０ｈとは異なる材質で形成されている。この構成によれば、低コストに前記カムを構成できる。
【００８８】
最大ギャップ変化領域５０ｊとカム支持部５６ａとの間の摩擦力が、他のギャップ変化領域５０ｆ、５０ｇ、５０ｈとカム支持部５６ａとの間の摩擦力より大きく設定されたことにより、最大ギャップ変化領域５０ｊがカム支持部５６ａと接する際のガイド軸４８の回転抵抗を大きくする。この構成によれば、構造簡単にして低コストに最大ギャップ変化領域５０ｊがカム支持部５６ａと接する際のガイド軸４８の回転抵抗を大きくすることができる。
【００８９】
最大ギャップ変化領域５０ｊは、ギャップＰＧを最も大きくするギャップ維持領域５０ｅと、ギャップＰＧを最も小さくするギャップ維持領域５０ｂと、の間に形成されている。
【００９０】
プリンター１０は、媒体に記録を行う記録ヘッド３４を備えるとともに媒体搬送方向と交差する方向である装置幅方向に移動可能なキャリッジ３２と、記録ヘッド３４と対向可能な位置に設けられ、媒体を支持する媒体支持部材３６と、キャリッジ３２に設けられた軸受部３２ｃを貫通し、キャリッジ３２をキャリッジ３２の移動方向にガイドする、移動方向に延びるガイド軸４８と、記録ヘッド３４と媒体支持部材３６との間のギャップＰＧを切り換えるギャップ切り換え手段６０と、を備え、ギャップ切り換え手段６０は、ガイド軸４８に設けられ、ガイド軸４８の軸中心位置から外周までの距離が円周方向に沿って変化する形状を有する第１ギャップ調整カム９０と、第１ギャップ調整カム９０を支持するカム支持部５６ａと、を備え、第１ギャップ調整カム９０を回転させることにより、記録ヘッド３４と媒体支持部材３６との間のギャップＰＧを切り換える構成を有し、第１ギャップ調整カム９０の外周面には、ギャップＰＧを維持するギャップ維持領域５０ｂ、５０ｃ、５０ｄ、５０ｅと、ギャップＰＧを変化させるギャップ変化領域９０ａと、が円周方向に沿って設けられ、ギャップ変化領域９０ａが、非連続面で形成されたことにより、ガイド軸４８の回転に伴ってギャップ変化領域９０ａとカム支持部５６ａとの当接と離間が繰り返し行われる構成を有する。
【００９１】
上記構成によれば、ギャップ変化領域９０ａが、非連続面で形成されたことにより、ガイド軸４８の回転に伴ってギャップ変化領域９０ａとカム支持部５６ａとの当接と離間が繰り返し行われる構成を有するので、ギャップ変化領域９０ａが連続面で形成されている構成、即ちギャップ切り換えの際に大きな衝撃が一回発生する構成に比べて、小さな衝撃を複数回発生させることでギャップ切り換えの際の突発音を抑制でき、或いは記録装置を構成する機構への悪影響を抑制できる。
【００９２】
ギャップ切り換え手段６０は、駆動モーター６４から動力を受けて第１ギャップ調整カム５０、９０を回転させるカム駆動ギア５８を備えるとともに、ギャップＰＧの切り換え動作に際して駆動モーター６４を一方向に回転させる。この構成によれば、即ち駆動モーター６４の回転方向切り換えを利用できない構成のため、ギャップ切り換えの際に最大ギャップ変化領域５０ｊ、９０ａを回避できないが、最大ギャップ変化領域５０ｊ、９０ａを利用する場合であっても、ギャップ切り換え動作の際に生じる衝撃を緩和することができる。
【００９３】
駆動モーター６４からカム駆動ギア５８への動力伝達経路上に、駆動モーター６４の回転方向切り換えを利用して動力伝達のオンオフ切り換えを行う遊星歯車機構７２を備える。この構成によれば、最大ギャップ変化領域５０ｊ、９０ａを利用する場合であっても、ギャップ切り換え動作の際に生じる衝撃を緩和することができる。
【００９４】
また、本実施形態では本発明に係る第１ギャップ調整カム５０、９０を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００９５】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００９６】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００９７】
１０…プリンター、１２…装置本体、１４…スキャナ部、１６…操作部、１８…表示手段、２０…カバー、２２…排出トレイ、２４…カバー、２６…媒体案内経路、２８…媒体収容部、３０…記録部、３２…キャリッジ、３２ａ…筐体、３２ｂ…把持部、３２ｃ…軸受部、３４…記録ヘッド、３６…媒体支持部材、３８…キャリッジ駆動手段、４０…キャリッジ駆動モーター、４２…駆動プーリー、４４…無端ベルト、４８…ガイド軸、５０、９０…第１ギャップ調整カム、５０ａ、５２ａ…カム面、５０ｂ、５０ｃ、５０ｄ、５０ｅ…ギャップ維持領域、５０ｆ、５０ｇ、５０ｈ…ギャップ変化領域、５０ｊ、９０ａ…最大ギャップ変化領域、５２…第２ギャップ調整カム、５４Ａ、５４Ｂ、１０４…フレーム部材、５６…カム支持部材、５６ａ…カム支持部、５８…カム駆動ギア、６０…ギャップ切り換え手段、６２…ガイド軸駆動手段、６４…駆動モーター、６６、６６Ａ、６６Ｂ、６６Ｃ、６６Ｄ、６６Ｅ、６６Ｆ、６６Ｇ、６６ｃ…歯車、６８…検出センサー、７０…エンコーダーセンサー、７２…遊星歯車機構、７４…太陽歯車、７６、９２…回転軸、７８…揺動部材、７８ａ、７８ｂ…規制ブロック、８０…遊星歯車、８２…規制棒、８２ａ…先端、８４…拘束位置、８６…ロータリースケール、８８…凸状部、９４…内周部、９６…ギア部、９８…隆起状部、１００…スライダ、１０２…付勢手段、１０４ａ…凸部、Ａ…矢印、ＰＧ…ギャップ、Ｓ…破線
【図１】
2017209924.tif 000003
【図２】
2017209924.tif 000004
【図３】
2017209924.tif 000005
【図４】
2017209924.tif 000006
【図５】
2017209924.tif 000007
【図６】
2017209924.tif 000008
【図７】
2017209924.tif 000009
【図８】
2017209924.tif 000010
【図９】
2017209924.tif 000011
【図１０】
2017209924.tif 000012
【図１１】
2017209924.tif 000013
【図１２】
2017209924.tif 000014
【図１３】
2017209924.tif 000015
【図１４】
2017209924.tif 000016
【図１５】
2017209924.tif 000017
【図１６】
2017209924.tif 000018